(57)【要約】【課題】本発明は、洗顔用の石鹸から効率良くきめ細かいシルキーでソフトな感じの泡を使用者に負担をかけることなく極めて容易に多量の泡を立てることが出来、使用後にも石鹸の粕がつまることがなく泡立てネットの濯ぎや水切れの簡便さを有する洗顔用泡立てネットの提供をする。【解決手段】伸縮性がある目の細かい適度な弾力性のある筒状ネットを蛇腹状に縮め、筒状蛇腹ネットの輪の上下中央を蝶々の羽根型に締結固定することにより筒状ネットのヒダは幾重にも層を有することになる。そのため高い弾力性及び形状復元性が備わり形崩れし難く、手のひら内で揉む過程で大量の空気を内包しながら水分と石鹸成分を効率良く混合し、きめ細かいシルキーでソフトな感じの泡を極めて容易に多量の泡を立てることが出来、使用後にも石鹸の粕がつまることがなく泡立てネットの濯ぎや指かけ用リボンをフックに掛けることにより、容易に水切れが出来、乾燥しやすく衛生的である。【選択図】図１
2009136637.tif 000002
【特許請求の範囲】
【請求項１】
伸縮性のある網目の細かい適度に弾力性のある筒状ネットを使用し、筒部を蛇腹状に縮め、筒状蛇腹ネットの輪の中央を蝶々の羽根型に締結固定することにより筒状ネットのヒダが幾重にも層を有することを特徴とした洗顔用泡立てネット。
【請求項２】
伸縮性のある網目の細かい適度に弾力性のあるポリエステル折巾２４ｃｍ長さ８０ｃｍの筒状ネットを蛇腹状に縮め、筒状蛇腹ネットの輪の上下中央を指かけ用リボン巾３ｍｍ長さ１９ｃｍとともに一纏めに締結固定することを特徴とした洗顔用泡立てネットの製造方法。
【発明の詳細な説明】
【技術分野】
【０００１】本発明は、洗顔時又は入浴時に使用する石鹸を極めて容易にきめ細かくシルキーな感じの泡を立てることが出来る洗顔用の泡立てネット及びその製造方法に関するものである。
【技術の背景】
【０００２】従来より広く用いられているこの種の洗顔用の泡立てネットは、袋型二重構造で洗顔用の石鹸を泡立てるために、常に洗顔用泡立てネットを両手の中で揉んだり広げたりしなくてはならず、シルキーでソフトな泡を作り出す事は出来るが使用者に負担がかかる。また、袋型ネットの表面のみで泡立てるように構成されており、内部に十分な泡の保持が出来きないと共に、泡の弾力性に乏しく形状の変形や崩れも早く、効率良く大量の泡を立てるには不十分であった。
【発明の開示】
【発明が解決しようとする課題】
【０００３】本発明はこのように従来より構成上、有していた欠点を解決しようとするものであり、洗顔用の石鹸から効率良くきめ細かいシルキーでソフトな感じの泡を使用者に負担をかけることなく極めて容易に多量の泡を立てることが出来、使用後にも石鹸の粕がつまることがなく泡立てネットの濯ぎや水切れの簡便さを有する洗顔用泡立てネットの提供を目的とするものである。
【課題を解決するための手段】
【０００４】上記目的を達成するため本発明の洗顔用泡立てネットにおいては、伸縮性がある目の細かい適度な弾力性のある筒状ネットを蛇腹状に縮め、筒状蛇腹ネットの輪の上下中央を蝶々の羽根型に締結固定することにより筒状ネットのヒダは幾重にも層を有することになる。そのため高い弾力性及び形状復元性が備わり形崩れし難く、手のひら内で揉む過程で大量の空気を内包しながら水分と石鹸成分を効率良く混合し、きめ細かいシルキーでソフトな感じの泡を極めて容易に多量の泡を立てることが出来、使用後にも石鹸の粕がつまることがなく泡立てネットの濯ぎや指かけ用リボンをフックに掛けることにより、容易に水切れが出来、乾燥しやすく衛生的である。
【発明を実施するための最良の形態】
【０００５】発明の実施の形態を実施例に基づき図面を参照して説明する。
図１は本発明の斜視図である。製造工程は以下に示した通りである。
伸縮性のある網目の細かい適度に弾力性のあるポリエステル折巾２４ｃｍ長さ８０ｃｍの筒状ネット１を蛇腹状に縮め図２（ａ）、筒状蛇腹ネット１の輪を左右に引伸ばし２本の棒の立つネット受け台４へかける図２（ｂ）、筒状蛇腹ネット１を上下に広げ図２（ｃ）、筒状ネット１の上下両端部分を２ｃｍ程度筒状ネット１の内側へ折込む図２（ｄ）。図２（ｄ）の筒状ネット１を上下左右の中央に指で集中し図２（ｅ）、ロックタイ２長さ１００ｍｍで一纏めにして軽く止める図２（ｆ）。指かけ用リボン３巾３ｍｍ長さ１９ｃｍの両端をそれぞれひと結びし、指かけ用リボン３の両端を、一纏めした筒状ネット１とロックタイ２の部分のロックタイ２の内側へ左右から交差させロックタイ２の上で指かけ用リボン３の輪を作るように指かけ用リボン３を差し入れる図２（ｇ）。ロックタイ２をしっかり絞め、筒状ネット１、指かけ用リボン３を締結固定する。指かけ用リボン３の輪の部分を左右に引き、指かけ用リボン３の両端をロックタイ２に固定する図２（ｈ）。図３は、図２（ｈ）をネット受け台４より取外し、形を整えた図である。【０００６】本発明は上記のような構造で形状も手におさまりのよい大きさになっている。これを使用するときは、図３の指かけ用リボン３を指にかけ石鹸をこすり、両手のひら内、または、片手のひら内で軽く揉む。この時ぬるま湯を用いるとより泡立ち効果が向上する。使用後にも石鹸の粕がつまることなく、片手でも簡単に濯げ、指かけ用リボン３をフックに掛けることにより容易に水切れが出来、乾燥しやすく衛生的である。
【発明の効果】
【０００７】以上の説明の通り、本発明によれば多くの問題点を考慮した上で構成されているため、形状が片手のひら内におさまりやすく幾重ものヒダ層を有することにより高い弾力性及び形状復元性が備わり形崩れし難く大量の空気の内包により、効率良くきめ細かいシルキーでソフトな感じの泡が極めて容易に充分な泡立ちが可能となる。使用後にも石鹸の粕がつまることなく泡立てネットの濯ぎや水切れの簡便さを有し、乾燥しやすく衛生面においても効果がある。
【図面の簡単な説明】
【０００８】
【図１】は、本発明の斜視図である。
【図２（ａ）】は、網目が細かい伸縮性のあるポリエチレン素材折巾２４ｃｍ長さ８０ｃｍの筒状ネット１の平面図並びに筒状ネット１の筒部を蛇腹状に縮めた平面図である。
【図２（ｂ）】は、２本の棒を立てたネット受け台４を使い、筒状ネット１を２本の棒にかぶせる平面図である。
【図２（ｃ）】は、棒に筒状ネット１をかぶせた平面図である。
【図２（ｄ）】は、筒状ネット１の上下両端部分を２ｃｍ程度筒状ネット１の内側へ折込む平面図である。
【図２（ｅ）】は、図２（ｄ）の左右中央を上下中央に指で集中した平面図である。
【図２（ｆ）】は、図２（ｅ）の集中部分をロックタイ２長さ１００ｍｍでかるく固定した平面図である。
【図２（ｇ）】は、図２（ｆ）のロックタイ２の内側へ両端を、それぞれひと結びした指かけ用リボン３巾３ｍｍ長さ１９ｃｍを、左右に交差させ入れ込んだ平面図である。
【図２（ｈ）】は、図２（ｇ）のロックタイ２をしっかり締結固定する。ロックタイ２の余分な部分を根本から切りとり、指かけ用リボン３の輪の部分を左右に引き、指かけ用リボン３の両端をロックタイ２の下でしっかり筒状ネット１と指かけ用リボン３を締結固定した平面図である。
【図３】は、図２（ｈ）をネット受け台４より外し、形を整えた泡立てネット１の斜視図である。
【符号の説明】
【０００９】１  筒状ネット
２  ロックタイ
３  指かけ用リボン
４  ネット受け台
【図１】
2009136637.tif 000003
【図２（ａ）】
2009136637.tif 000004
【図２（ｂ）】
2009136637.tif 000005
【図２（ｃ）】
2009136637.tif 000006
【図２（ｄ）】
2009136637.tif 000007
【図２（ｅ）】
2009136637.tif 000008
【図２（ｆ）】
2009136637.tif 000009
【図２（ｇ）】
2009136637.tif 000010
【図２（ｈ）】
2009136637.tif 000011
【図３】
2009136637.tif 000012